(57)【要約】【課題】アンカーボルトを用いることなく機器を固定することによって、機器の移設に際してはそのアンカーボルトの除去及び痕跡の修復を必要とせず、而も機器の設置固定をより一層堅実なものとする。【解決手段】機器本体の高さ調整用の螺柱と連結した台座をスライドさせて、螺柱がスリットの最深部にて停止した状態において、その開口を閉塞する様ロックボルトを固定金具に直立させ、更に中性ウレタンエラストマーに硬化剤を混入して半架橋状態にした粘性及び弾性を有するウレタン系ゴム製の衝撃吸収マットを、固定金具の下面に装着して機器本体の設置面に粘着することによって、アンカーボルトを用いることなく機器を固定することが出来、機器の移設に際してそのアンカーボルトの除去及び痕跡の修復を必要とせず、而も機器の設置固定をより一層堅実なものとした機器の耐震固定装置。【選択図】  図２
0003114711.tif 000002
【実用新案登録請求の範囲】
【請求項１】
底部に高さ調整用の螺柱を有する機器本体と、この高さ調整用の螺柱を連結する台座と、該台座と共にスライドした螺柱が最深部にて停止する一端開口の有端スリットを有する袋部及びこの袋部を上面に備えた固定金具と、この固定金具に螺合されると共に前記台座の螺柱がスリットの最深部にて停止した状態において、その開口を閉塞する様直立するロックボルトと、更に中性ウレタンエラストマーに硬化剤を混入して半架橋状態にした粘性及び弾性を有するウレタン系ゴム製の衝撃吸収マットを、前記固定金具の下面に装着して機器本体の設置面に粘着したことを特徴とする機器の耐震固定装置。
【請求項２】
ウレタン系ゴム製の衝撃吸収マットを、衝撃吸収率８０％以上、貼着力１ｋｇ／ｃｍ２以上、１．６ｋｇ／ｃｍ２以下、アスカーＣ硬度が１以上５０以下としたことを特徴とする請求項１記載の機器の耐震固定装置。
【考案の詳細な説明】
【技術分野】
【０００１】
本考案は、自動販売機、券売機等の屋外機器、更にはＡТＭ、両替機、医療機器、各種測定器、冷蔵庫等の屋内機器が地震や振動にて倒れたり、或いは所定の位置から移動することによって不測の事故が生じることを防止する機器の耐震固定装置に関する。
【背景技術】
【０００２】
一般的に、自動販売機等の重量機器は、地震や振動等によって倒れたり、又所定の位置から移動しない様に、機器をアンカーボルトを用いて固定している。
然しながら、このアンカーボルトを用いて機器を固定するものにおいては、レイアウトの変更等で機器の設置場所を変更する場合、そのアンカーボルトの除去及び痕跡の修復が必要となり、容易ではなく屋内においては見苦しい。
一方、このアンカーボルトを用いないで機器を固定する方法も考えられるが、信頼性に欠ける。特に振動の場合は、長期間に亘って機器に作用することから、例え固定金具と設置面とが強固に粘着していても少しづつその機器と固定金具との関係に影響を及ぼし、遂には固定金具から機器が離脱したり、又その直前状態での偶然の地震発生によって離脱、倒壊にとつながった。
【考案の開示】
【考案が解決しようとする課題】
【０００３】
本考案は、アンカーボルトを用いることなく機器を固定することによって、機器の移設に際してはそのアンカーボルトの除去及び痕跡の修復を必要とせず、而も機器の設置固定をより一層堅実なものとした。
【課題を解決するための手段】
【０００４】
以上の課題を解決すめために本考案は、機器本体の高さ調整用の螺柱と連結した台座をスライドさせて、螺柱がスリットの最深部にて停止した状態において、その開口を閉塞する様ロックボルトを固定金具に直立させ、更に中性ウレタンエラストマーに硬化剤を混入して半架橋状態にした粘性及び弾性を有するウレタン系ゴム製の衝撃吸収マットを、固定金具の下面に装着して機器本体の設置面に粘着することによって、アンカーボルトを用いることなく機器を固定することが出来、機器の移設に際してそのアンカーボルトの除去及び痕跡の修復を必要とせず、而も機器の設置固定をより一層堅実なものとした機器の耐震固定装置。
【考案の効果】
【０００５】
(１)請求項１により、機器本体の固定金具の下面に中性ウレタンエラストマーに硬化剤を混入して半架橋状態にした粘性及び弾性を有するウレタン系ゴム製の衝撃吸収マットを装着して設置面に貼着したから、アンカーボルトを用いることなく機器を固定することが出来、機器の移設に際してそのアンカーボルトの除去及び痕跡の修復を必要としない。
而も機器本体の高さ調整用の螺柱が台座と共にスライドしてスリットの最深部にて停止した状態において、その開口を閉塞する様ロックボルトを固定金具に直立させるので、アンカーボルトを用いないで機器を固定する方法の問題点、即ち振動によって
長期間に亘って機器と固定金具との関係に影響して、遂には固定金具から機器が離脱したり、又その直前状態での偶然の地震発生に伴って離脱、倒壊にとつながることを防止できる。
【０００６】
(２)請求項２により、アンカーボルトや接着剤を使用しなくともウレタン系ゴム製の衝撃吸収マットにて設置面に貼着されているから、その衝撃吸収マットの貼着力に機器の荷重が加わることによって固定金具と設置面とが固着し、その固着は強固なものとなり、地震や振動に対し機器の倒壊、移動を防止できる。
又、接着剤の固化させる時間も必要なく、機器の移設に際しては、衝撃吸収マットを設置面から慎重に剥離すればよく、痕跡も無い。
【考案を実施するための最良の形態】
【０００７】
以下本考案を最良の形態である実施例に基づいて説明する。
【実施例】
【０００８】
図１は、本考案に係わる機器の耐震固定装置の分解斜視図で、機器本体１の底部１ａに高さ調整用の螺柱２を有する。この高さ調整用の螺柱２は台座３に連結されている。
具体的には螺柱２が台座３のナット４に螺合しているが、勿論両者２、３を一体化し、機器本体１側にナットのネジ孔を設けてもよい。
機器本体１の台座３は固定金具５に着座する。具体的には固定金具５に、上片６ａ、
両側片６ｂ、６ｂ、空洞部６ｃよりなる袋部６を形成し、この上片６ａに一端が開口７ａした有端スリット７を設け、台座３を袋部６の空洞部６ｃにスライドして挿入させる。これと併せて螺柱２も有端スリット７の開口７ａから最深部にて停止する。
この状態において、固定金具５に設けられたネジ孔８にロックボルト９が螺合して直立する。而してこれはスリット７の最深部にて停止している螺柱２の開口７ａを閉塞することとなり、地震は勿論、振動等においても螺柱２と共に台座３が袋部６から抜け出ないのである。
【０００９】
固定金具５の下面にはウレタン系ゴム製の衝撃吸収マット１０を装着しており、機器本体１の設置面Ｈに粘着する。
而して、上記衝撃吸収マット１０としては、例えば中性ウレタンエラストマーに硬化剤を混入して半架橋状態にした粘性及び弾性を有するウレタン系ゴム(ゲルニック：ニック社の商品名)を用いる。その特性としては、衝撃吸収率８０％以上、９０％以上なれば更に好ましい。又、貼着力は１ｋｇ／ｃｍ２以上、１．６ｋｇ／ｃｍ２以下が最適である。アスカーＣ硬度は、１以上５０以下がよい。
これらから、アンカーボルトや接着剤を使用しなくともウレタン系ゴム製の衝撃吸収マット１０にて設置面Ｈに貼着されているから、その衝撃吸収マット１０の貼着力に機器本体１の荷重が加わることによって固定金具５と設置面Ｈとが固着し、その固着は強固なものとなり、地震や振動に対し機器の倒壊、移動を防止できる。
又、接着剤の固化させる時間も必要なく、機器の移設に際しては、衝撃吸収マット１０を設置面Ｈから慎重に剥離すればよく、痕跡も無い。
【図面の簡単な説明】
【００１０】
【図１】本考案に係る機器の耐震固定装置の分解斜視図
【図２】同上の断面図
【符号の説明】
【００１１】
H  設置面
１  機器本体
２  螺柱
３  台座
５  固定金具
6  袋部
7  有端スリット
７ａ  開口
９  ロックボルト
１０  衝撃吸収マット
【図１】
0003114711.tif 000003
【図２】
0003114711.tif 000004